(57)【要約】【課題】従来技術の問題を解決する。【解決手段】本発明は、グローバル特効の切替方法、装置、端末装置および記憶媒体を提供する。該方法は、目標インタフェースにおいてスライドジェスチャーを検出することに基づいて、前記スライドジェスチャーのスライド方向に応じて、切り替えられる２種類のグローバル特効を特定することと、前記スライドジェスチャーのスライド中に、前記目標インタフェースの両側に前記２種類のグローバル特効を同時に表示させ、前記スライドジェスチャーのスライド変位に応じて、前記２種類のグローバル特効の表示領域を変更させることと、前記スライドジェスチャーの解除動作を検出することに基づいて、前記２種類のグローバル特効のうち、表示領域の大きい方のグローバル特効をユーザに特定されるグローバル特効と特定し、目標インタフェース全体に表示させることとを含む。【選択図】図１
2021512436.tif 000002
【特許請求の範囲】
【請求項１】
目標インタフェースにおいてスライドジェスチャーを検出することに基づいて、前記スライドジェスチャーのスライド方向に応じて、切り替えられる２種類のグローバル特効を特定することと、
前記スライドジェスチャーのスライド中に、前記目標インタフェースの両側に前記２種類のグローバル特効を同時に表示させ、前記スライドジェスチャーのスライド変位に応じて、前記２種類のグローバル特効の表示領域を変更させることと、
前記スライドジェスチャーの解除動作を検出することに基づいて、前記２種類のグローバル特効のうち、表示領域の大きい方のグローバル特効を、ユーザに特定されるグローバル特効と特定し、目標インタフェース全体に表示させることとを含む、
グローバル特効の切替方法。
【請求項２】
前記スライド変位は、横変位成分を含み、
前記スライドジェスチャーのスライド変位に応じて、前記２種類のグローバル特効の表示領域を変更させることは、
前記スライドジェスチャーの前記横変位成分に応じて、前記２種類のグローバル特効の、前記目標インタフェースの左右両側での表示領域を変更させることを含む、
請求項１に記載のグローバル特効の切替方法。
【請求項３】
目標インタフェース全体に表示させることは、
特定されたグローバル特効の、表示領域の目標インタフェース上の位置に応じて、前記特定されたグローバル特効が目標インタフェース全体をカバーするまで、変位動画の形式で前記特定されたグローバル特効を反対側に移動させることを含む、
請求項１に記載のグローバル特効の切替方法。
【請求項４】
前記目標インタフェースは、動画撮像インタフェース、動画編集インタフェース、写真撮影インタフェースまたは写真編集インタフェースを含む、
請求項１に記載のグローバル特効の切替方法。
【請求項５】
前記グローバル特効は、フィルタリング及び透明度の少なくとも１つを含む、
請求項１に記載のグローバル特効の切替方法。
【請求項６】
目標インタフェースにおいてスライドジェスチャーを検出することに基づいて、前記スライドジェスチャーのスライド方向に応じて、切り替えられる２種類のグローバル特効を特定するように構成される切り替え特効特定モジュールと、
前記スライドジェスチャーのスライド中に、前記目標インタフェースの両側に前記２種類のグローバル特効を同時に表示させ、前記スライドジェスチャーのスライド変位に応じて、前記２種類のグローバル特効の表示領域を変更させるように構成される同時表示モジュールと、
前記スライドジェスチャーの解除動作を検出することに基づいて、前記２種類のグローバル特効のうち、表示領域の大きい方のグローバル特効を、ユーザに選択されるグローバル特効と特定し、目標インタフェース全体に表示させるように構成される、グローバル特効切替モジュールとを備える、
グローバル特効の切替装置。
【請求項７】
前記スライド変位は、横変位成分を含み、
前記同時表示モジュールは、前記スライドジェスチャーの前記横変位成分に応じて、前記２種類のグローバル特効の、前記目標インタフェースの左右両側での表示領域を変更させるように構成される表示領域変更ユニットを備える、
請求項６に記載のグローバル特効の切替装置。
【請求項８】
前記グローバル特効切替モジュールは、特定されたグローバル特効の表示領域の、目標インタフェース上の位置に応じて、前記特定されたグローバル特効が目標インタフェース全体をカバーするまで、変位動画の形式で前記特定されたグローバル特効を反対側に移動させるように構成される変位動画切替ユニットを備える、
請求項６に記載のグローバル特効の切替装置。
【請求項９】
前記目標インタフェースは、動画撮像インタフェース、動画編集インタフェース、写真撮影インタフェースまたは写真編集インタフェースを含む、
請求項６に記載のグローバル特効の切替装置。
【請求項１０】
前記グローバル特効は、フィルタリング及び透明度の少なくとも１つを含む、
請求項６に記載のグローバル特効の切替装置。
【請求項１１】
少なくとも１つのプロセッサと、
少なくとも１つのプログラムを記憶するように構成される記憶装置とを備え、
前記少なくとも１つのプログラムが前記少なくとも１つのプロセッサに実行されると、前記少なくとも１つのプロセッサは、請求項１〜５のいずれか１項に記載のグローバル特効の切替方法を実現する、
端末装置。
【請求項１２】
コンピュータプログラムが記憶され、前記コンピュータプログラムがプロセッサによって実行されると、請求項１〜５のいずれか１項に記載のグローバル特効の切替方法が実現される、
コンピュータ可読記憶媒体。
【発明の詳細な説明】
【技術分野】
【０００１】
本出願は、２０１８年６月２９日に中国特許局に提出された、出願番号が２０１８１０６９７５１２．６である中国特許出願に基づき、優先権を主張するものであり、その出願におけるすべての内容は引用により本出願に組み込まれる。
【０００２】
本開示の実施例は、インターネット技術に関し、例えば、グローバル特効の切替方法、装置、端末装置及び記憶媒体に関する。
【背景技術】
【０００３】
フィルタリングは、グローバル特効の１つとして、画像の多様なアート的効果を実現することができ、フィルタリング処理を行うことで、画像の原始画面に対してアート的なフィルタリングを行い、芸術的な効果を現わせることができる。
【０００４】
画像または動画撮像ソフトウェアは、一般的に、ユーザに選択される複数のフィルタリングを提供する。関連技術において、ユーザは、フィルタリングを使用したり、切り替えたりする必要がある場合には、まず、フィルタリングコントロールをクリックして、フィルタリング領域を呼び出し、フィルタリング領域において該当するフィルタリングをクリックしなければ、フィルタリングを切り替えることができない。また、切り替える際に、現在の表示効果をユーザが選択したフィルタリングの効果に直接切り替えるようにし、ユーザによる異なるフィルタリング効果の比較が不便であり、切替効率が低く、ユーザ体験に影響を与える。
【発明の概要】
【０００５】
これに鑑み、本開示の実施例は、グローバル特効の切替効率を向上させ、ユーザ体験を向上させるためのグローバル特効の切替方法、装置、端末装置および記憶媒体を提供する。
【０００６】
本開示の実施例は、目標インタフェースにおいてスライドジェスチャーを検出すると、前記スライドジェスチャーのスライド方向に応じて、切り替えられる２種類のグローバル特効を特定することと、
前記スライドジェスチャーのスライド中に、前記目標インタフェースの両側に前記２種類のグローバル特効を同時に表示させ、前記スライドジェスチャーのスライド変位に応じて、前記２種類のグローバル特効の表示領域を変更させることと、
前記スライドジェスチャーの解除動作を検出すると、前記２種類のグローバル特効のうち、表示領域の大きい方のグローバル特効をユーザに選択されるグローバル特効と特定することとを含む、
グローバル特効の切替方法を提供する。
【０００７】
本開示の実施例は、
目標インタフェースにおいてスライドジェスチャーを検出すると、前記スライドジェスチャーのスライド方向に応じて、切り替えられる２種類のグローバル特効を特定するように構成される切り替え特効特定モジュールと、
前記スライドジェスチャーのスライド中に、前記目標インタフェースの両側に前記２種類のグローバル特効を同時に表示させ、前記スライドジェスチャーのスライド変位に応じて、前記２種類のグローバル特効の表示領域を変更させるように構成される同時表示モジュールと、
前記スライドジェスチャーの解除動作を検出した時に、前記２種類のグローバル特効のうち表示領域の大きい方のグローバル特効はユーザに選択されるグローバル特効と特定し、目標インタフェース全体に表示するように構成されるグローバル特効切替モジュールとを備える、
グローバル特効の切替装置をさらに提供する。
【０００８】
本開示の実施例は
１つまたは複数のプロセッサと、
１つまたは複数のプログラムを記憶するように構成される記憶装置とを備え、
前記１つまたは複数のプログラムが前記１つまたは複数のプロセッサに実行されると、前記１つまたは複数のプロセッサは、本開示のいずれかの実施例に記載のグローバル特効の切替方法を実現する、
端末装置を提供する。
【０００９】
本開示実施例は、コンピュータプログラムが記憶され、前記コンピュータプログラムがプロセッサによって実行されると、本開示のいずれかの実施例に記載のグローバル特効の切替方法が実現される、コンピュータ可読記憶媒体をさらに提供する。
【図面の簡単な説明】
【００１０】
【図１】本開示の実施例１に係るグローバル特効の切替方法のフローチャートである。
【図２ａ】本開示の実施例に係る、縦表示の状態でスライド方向が左右スライドである場合、目標インタフェースの左右両側に２種類のグローバル特効を同時に表示させる模式図である。
【図２ｂ】本開示の実施例に係る、縦表示の状態でスライド方向が左右スライドである場合、目標インタフェースの左右両側に２種類のグローバル特効を同時に表示させる模式図である。
【図２ｃ】本開示の実施例に係る、縦表示の状態でスライド方向が左右スライドである場合、目標インタフェースの左右両側に２種類のグローバル特効を同時に表示させる模式図である。
【図２ｄ】本開示の実施例に係る、縦表示の状態でスライド方向が上下スライドである場合、目標インタフェースの上下両側に２種類のグローバル特効を同時に表示させる模式図である。
【図２ｅ】本開示の実施例に係る、縦表示の状態でスライド方向が上下スライドである場合、目標インタフェースの上下両側に２種類のグローバル特効を同時に表示させる模式図である。
【図２ｆ】本開示の実施例に係る、縦表示の状態でスライド方向が上下スライドである場合、目標インタフェースの上下両側に２種類のグローバル特効を同時に表示させる模式図である。
【図２ｇ】本開示の実施例に係る、横表示の状態でスライド方向が左右スライドである場合、目標インタフェースの左右両側に２種類のグローバル特効を同時に表示させる模式図である。
【図２ｈ】本開示の実施例に係る、横表示の状態でスライド方向が左右スライドである場合、目標インタフェースの左右両側に２種類のグローバル特効を同時に表示させる模式図である。
【図２ｉ】本開示の実施例に係る、横表示の状態でスライド方向が左右スライドである場合、目標インタフェースの左右両側に２種類のグローバル特効を同時に表示させる模式図である。
【図２ｊ】本開示の実施例に係る、横表示の状態でスライド方向が上下スライドである場合、目標インタフェースの上下両側に２種類のグローバル特効を同時に表示させる模式図である。
【図２ｋ】本開示の実施例に係る、横表示の状態でスライド方向が上下スライドである場合、目標インタフェースの上下両側に２種類のグローバル特効を同時に表示させる模式図である。
【図２ｌ】本開示の実施例に係る、横表示の状態でスライド方向が上下スライドである場合、目標インタフェースの上下両側に２種類のグローバル特効を同時に表示させる模式図である。
【図３】本開示の実施例２に係るグローバル特効の切替方法のフローチャートである。
【図４】本開示の実施例３に係るグローバル特効の切替装置の構造模式図である。
【図５】本開示の実施例４に係る端末装置のハードウェアの構造模式図である。
【発明を実施するための形態】
【００１１】
以下、図面及び実施例を参照しながら本開示をさらに詳細に説明する。ここで説明する具体的な実施例は、本開示を解釈するためのものに過ぎず、本開示を限定するものではないことが理解されるべきである。なお、説明の便宜上、図面に、全ての内容でなく、本開示に関連する部分のみが示されている。
【００１２】
実施例１
図１は、本開示の実施例１に係るグローバル特効の切替方法のフローチャートである。本実施例は、動画または写真のグローバル特効を切り替えようとする場合に適用することができる。該方法は、グローバル特効の切替装置に実行されてもよく、該装置は、ソフトウェアとハードウェアの少なくとも1つで実現されてもよく、一般的に携帯電話やタブレット等の端末装置に集積されてもよい。該方法は、ステップ１１０、ステップ１２０及びステップ１３０を含む。
【００１３】
ステップ１１０において、目標インタフェースにおいてスライドジェスチャーを検出すると、前記スライドジェスチャーのスライド方向に応じて、切り替えられる２種類のグローバル特効を特定する。
【００１４】
ここで、目標インタフェースは、動画撮像インタフェース、動画編集インタフェース、写真撮影インタフェースまたは写真編集インタフェースを含んでもよい。スライド方向は、上スライド、下スライド、左スライドまたは右スライドを含む。グローバル特効は、写真または動画における全部の画素をカバーする特効であり、フィルタリング及び透明度の少なくとも１つを含んでもよいし、他のグローバル特効をさらに含んでもよい。ここで、フィルタリングは、例えば、日系、年華、清純、可愛い、または純真などであり、透明度は、写真または動画の透明度を調整するために用いられ、例えば、５０％、６０％、７０％または８０％などであってもよい。
【００１５】
動画または写真を撮影または編集する際に、スライドジェスチャーに応じてグローバル特効を切り替えるようにしてもよい。スライドジェスチャーを検出すると、スライドジェスチャーのスライド方向を特定し、スライドジェスチャーのスライド方向が予め設定されたスライド方向と同じであれば、スライドジェスチャーのスライド方向に応じて切り替えられる２種類のグローバル特効を特定することができる。スライドジェスチャーを予め設定してグローバル特効の切り替えを呼び出すようにしてもよい。これによって、現在の目標インタフェースにグローバル特効が使用されていない場合、検出されたスライドジェスチャーが予め設定されたスライドジェスチャーであれば、グローバル特効の切り替えを呼び出すことができる。すなわち、検出されたスライドジェスチャーのスライド方向が予め設定されたスライドジェスチャーのスライド方向と同じであれば、グローバル特効の切り替えを呼び出すことができ、さらに、切り替えられる２種類のグローバル特効を特定することができる。例えば、グローバル特効が使用されていない場合、ノーマルと称し、グローバル特効の一種と見なしてもよく、検出されたスライドジェスチャーが予め設定されたスライドジェスチャーである場合、切り替えられる２種類のグローバル特効をノーマルおよびグローバル特効のうちの第１種類のグローバル特効と特定することができる。現在の目標インターフェイスにグローバル特効が使用されている場合、予め設定されたスライドジェスチャーの方向と同じの方向または逆の方向のスライドジェスチャーで、隣接する２種類のグローバル特効を切り替えることができ、この隣接する２種類のグローバル特効は、スライドジェスチャーが検出される前に表示されるグローバル特効、およびスライドジェスチャーに応じて特定されて前記表示されたグローバル特効に隣接するグローバル特効とを含む。ここで、予め設定されたスライドジェスチャーは、左スライドジェスチャー、右スライドジェスチャー、上スライドジェスチャーまたは下スライドジェスチャーであってもよく、例えば、左スライドジェスチャーと設定されてもよい。
【００１６】
ステップ１２０において、前記スライドジェスチャーのスライド中に、前記目標インタフェースの両側に前記２種類のグローバル特効を同時に表示させ、前記スライドジェスチャーのスライド変位に応じて、前記２種類のグローバル特効の表示領域を変更させる。
【００１７】
スライドジェスチャーが左スライドジェスチャーまたは右スライドジェスチャーであれば、端末装置が縦表示または横表示される場合、目標インタフェースの左右両側に、切り替えられる２種類のグローバル特効を同時に表示させることができる。スライドジェスチャーが上スライドジェスチャーまたは下スライドジェスチャーであれば、端末装置が縦表示または横表示される場合、目標インタフェースの上下両側に、切り替えられる２種類のグローバル特効を同時に表示させることができる。ここで、２種類のグローバル特効のうち、第１種類は、スライドジェスチャーが検出される前に表示されるグローバル特効であり、第２種類は、スライドジェスチャーのスライド方向に応じて特定されて第１種類に隣接して記憶されるグローバル特効である。スライドジェスチャーが前記スライド方向に沿ってスライドする過程において、第１種類のグローバル特効の表示領域が小さくなり、第２種類のグローバル特効の表示領域が大きくなり、スライドジェスチャーがスライド方向を変えると、第１種類のグローバル特効の表示領域が大きくなり、第２種類のグローバル特効の表示領域が小さくなり、すなわち、第１種類のグローバル特効の表示領域の大きさがスライドジェスチャーのスライド変位に反比例し、第２種類のグローバル特効の表示領域の大きさがスライドジェスチャーのスライド変位に比例する。スライドジェスチャーが左スライドジェスチャーまたは右スライドジェスチャーであれば、スライド変位は横変位成分であり、スライドジェスチャーが上スライドジェスチャーまたは下スライドジェスチャーであれば、スライド変位は縦変位成分である。つまり、第２種類のグローバル特効の移動変位とスライドジェスチャーのスライド変位とは線形関係であり、例えば、スライドジェスチャーで１つの画素を移動すると、第２種類のグローバル特効がスライドジェスチャーに応じた方向に２つの画素を移動するようにしてもよく、これに応じて、第１種類のグローバル特効がスライドジェスチャーに応じた方向に２つの画素を移動し、これによって、表示領域において対応する方向に２つの画素が減少する。目標インタフェースの両側に２種類のグローバル特効を同時に表示させることで、ユーザによる２種類のグローバル特効の効果の比較を容易にし、自分の好きなグローバル特効を選択することができる。
【００１８】
グローバル特効がフィルタリングであることを例として説明する。図２ａから図２ｃは、本開示の実施例に係る、縦表示の状態でスライド方向が左右スライドである場合、目標インタフェースの左右両側に２種類のグローバル特効を同時に表示させる模式図である。図２ａに示すように、縦表示の状態である場合、スライドジェスチャーのスライド方向は左スライドであることを検出すると、まず、スライドジェスチャーが検出される前のグローバル特効を切り替えられるグローバル特効の第１種類と特定し、当該グローバル特効に隣接するグローバル特効を切り替えられるグローバル特効の第２種類とする。図２ａ、図２ｂおよび図２ｃは、例として、スライドジェスチャーが検出される前の第１種類のグローバル特効をノーマルとし、スライドジェスチャーが検出された後の第２種類のグローバル特効を日系とし、スライドジェスチャーが左スライドを続けるのに伴って、２種類のグローバル特効の表示領域を変更させる。図２ｂに示すように、図２ａに基づいて、第１種類のグローバル特効の表示領域は小さくなり、第２種類のグローバル特効の表示領域は大きくなる。スライドジェスチャーのスライド中に、スライドジェスチャーのスライド方向が変更されると、これに伴って、２種類のグローバル特効の表示領域も変更され、図２ｃに示すように、すなわち、図２ｂに基づいて、第１種類のグローバル特効の表示領域が大きくなり、第２種類のグローバル特効の表示領域が小さくなる。
【００１９】
グローバル特効がフィルタリングであることを例として説明する。図２ｄから図２ｆは、本開示の実施例に係る、縦表示の状態でスライド方向が上下スライドである場合、目標インタフェースの上下両側に２種類のグローバル特効を同時に表示させる模式図である。図２ｄに示すように、スライドジェスチャーのスライド方向が上スライドであると検出されると、まず、スライドジェスチャーが検出される前のグローバル特効を切り替えられるグローバル特効の第１種類と特定し、当該グローバル特効に隣接するグローバル特効を切り替えられるグローバル特効の第２種類とする。図２ｄ、図２ｅおよび図２ｆは、例として、スライドジェスチャーが検出される前の第１種類のグローバル特効をノーマルとし、スライドジェスチャーが検出された後の第２種類のグローバル特効を日系とし、スライドジェスチャーが上スライドを続けるのに伴って、２種類のグローバル特効の表示領域を変更させる。図２ｅに示すように、図２ｄに基づいて、第１種類のグローバル特効の表示領域は小さくなり、第２種類のグローバル特効の表示領域は大きくなる。スライドジェスチャーのスライド中に、スライドジェスチャーにスライド方向が変更されると、これに伴って、２種類のグローバル特効の表示領域も変更され、図２ｆに示すように、すなわち、図２ｅに基づいて、第１種類のグローバル特効の表示領域が大きくなり、第２種類のグローバル特効の表示領域が小さくなる。
【００２０】
グローバル特効がフィルタリングであることを例として説明する。図２ｇから図２ｉは、本開示の実施例に係る、横表示の状態でスライド方向が左右スライドである場合、目標インタフェースの左右両側に２種類のグローバル特効を同時に表示させる模式図であう。図２ｇに示すように、横表示の状態で、スライドジェスチャーのスライド方向が左スライドであると検出されると、まず、スライドジェスチャーが検出される前のグローバル特効を切り替えられるグローバル特効の第１種類と特定し、当該グローバル特効に隣接するグローバル特効を切り替えられるグローバル特効の第２種類とする。図２ｇ、図２ｈおよび図２ｉは、例として、スライドジェスチャーが検出される前の第１種類のグローバル特効をノーマルとし、スライドジェスチャーが検出された後の第２種類のグローバル特効を日系とし、スライドジェスチャーが左スライドを続けるのに伴って、２種類のグローバル特効の表示領域を変更させる。図２ｈに示すように、図２ｇに基づいて、第１種類のグローバル特効の表示領域は小さくなり、第２種類のグローバル特効の表示領域は大きくなる。スライドジェスチャーのスライド中に、スライドジェスチャーのスライド方向が変更されると、これに伴って、２種類のグローバル特効の表示領域も変更され、図２ｉに示すように、すなわち、図２ｈに基づいて、第１種類のグローバル特効の表示領域が大きくなり、第２種類のグローバル特効の表示領域が小さくなる。
【００２１】
グローバル特効がフィルタリングであることを例として説明する図２ｊから図２ｌは本開示の実施例に係る、横表示の状態でスライド方向が上下スライドである場合、目標インタフェースの上下両側に２種類のグローバル特効を同時に表示させる模式図である。図２ｉに示すように、スライドジェスチャーのスライド方向が上スライドであると検出されると、まず、スライドジェスチャーが検出される前のグローバル特効を切り替えられるグローバル特効の第１種類と特定し、当該グローバル特効に隣接するグローバル特効を切り替えられるグローバル特効の第２種類とする。図２ｊ、図２ｋおよび図２ｌは、例として、スライドジェスチャーが検出される前の第１種類のグローバル特効をノーマルとし、スライドジェスチャーが検出された後の第２種類のグローバル特効を日系とし、スライドジェスチャーが上スライドを続けるのに伴って、２種類のグローバル特効の表示領域を変更させる。図２ｋに示すように、図２ｊに基づいて、第１種類のグローバル特効の表示領域は小さくなり、第２種類のグローバル特効の表示領域は大きくなる。スライドジェスチャーのスライド中に、スライドジェスチャーのスライド方向が変更されると、これに伴って、２種類のグローバル特効の表示領域も変更され、図２ｌに示すように、すなわち、図２ｋに基づいて、第１種類のグローバル特効の表示領域が大きくなり、第２種類のグローバル特効の表示領域が小さくなる。
【００２２】
ステップ１３０において、前記スライドジェスチャーの解除動作を検出すると、前記２種類のグローバル特効のうち、表示領域の大きい方のグローバル特効をユーザに選択されるグローバル特効と特定し、目標インタフェースの全体に表示させる。
ここで、スライドジェスチャーの解除動作は、指の離す動作を含む。
【００２３】
ユーザが２種類のグローバル特効において使用されるグローバル特効を特定した後、スライドジェスチャーに応じ、使用されるグローバル特効の表示領域を他のグローバル特効の表示領域よりも大きくさせてから、スライドジェスチャーを解除する。端末装置は、スライドジェスチャーの解除動作を検出すると、表示領域の大きい方のグローバル特効を、ユーザに選択されるグローバル特効と特定し、目標インタフェース全体に表示させる。
【００２４】
本実施例に係るグローバル特効の切替方法は、目標インタフェースにおいてスライドジェスチャーを検出すると、スライドジェスチャーのスライド方向に応じて切り替えられる２種類のグローバル特効を特定して、スライドジェスチャーのスライド中に、目標インタフェースの両側で２種類のグローバル特効を同時に表示させ、スライドジェスチャーのスライド変位に応じて、２種類のグローバル特効の表示領域を変更し、スライドジェスチャーの解除動作を検出すると、２種類のグローバル特効のうち、表示領域の大きい方のグローバル特効をユーザに選択されるグローバル特効と特定し、目標インタフェースの全体に表示させ、スライドジェスチャーによってグローバル特効を切り替え、スライドジェスチャーのスライド中に、２種類のグローバル特効を同時に表示させることで、ユーザによる２種類のグローバル特効の表示効果の比較を容易にし、グローバル特効の切替効率を向上させ、ユーザ体験を向上させる。
【００２５】
一実施形態において、前記スライド変位は、横変位成分を含み、
前記スライドジェスチャーのスライド変位に応じて、前記２種類のグローバル特効の表示領域を変更させることは、
前記スライドジェスチャーの前記横変位成分に応じて、前記２種類のグローバル特効の、前記目標インタフェースの左右両側での表示領域を変更させることを含む。
【００２６】
目標インタフェースの表示形式は、縦表示または横表示であってもよい。目標インターフェイスの表示形式が縦表示である場合、スライドジェスチャーの横変位成分、すなわちディスプレイの短辺に平行な変位成分によって、目標インターフェイス左右両側に表示される２種類のグローバル特効の表示領域を変更する。目標インターフェイスの表示形式が横表示である場合、スライドジェスチャーの横変位成分、すなわちディスプレイの長辺に平行な変位成分に応じて、目標インターフェイス左右両側に表示される２種類のグローバル特効の表示領域を変更する。スライドジェスチャーの横変位成分の増大に伴って、第１種類のグローバル特効の表示領域が小さくなり、第２種類のグローバル特効の表示領域が大きくなる。左右両側に２種類のグローバル特効を同時に表示させることで、ユーザによる２種類のグローバル特効の表示効果の比較を容易にし、グローバル特効の切替効率をさらに向上させる。
【００２７】
実施例２
図３は、本開示の実施例２に係るグローバル特効の切替方法のフローチャートであり、目標インタフェースの全体に表示させ、特定されたグローバル特効の、表示領域の目標インタフェース上の位置に応じて、前記特定されたグローバル特効が目標インタフェース全体をカバーするまで、変位動画の形式で前記特定されたグローバル特効を反対側に移動させることをさらに含む。
【００２８】
ステップ２１０において、目標インタフェースにおいてスライドジェスチャーを検出すると、前記スライドジェスチャーのスライド方向に応じて、切り替えられる２種類のグローバル特効を特定する。
【００２９】
ステップ２２０において、前記スライドジェスチャーのスライド中に、前記目標インタフェースの両側に前記２種類のグローバル特効を同時に表示させ、前記スライドジェスチャーのスライド変位に応じて、前記２種類のグローバル特効の表示領域を変更させる。
【００３０】
ステップ２３０において、前記スライドジェスチャーの解除動作を検出すると、前記２種類のグローバル特効のうち、表示領域の大きい方のグローバル特効をユーザに選択されるグローバル特効と特定し、特定されたグローバル特効の、表示領域の目標インタフェース上の位置に応じて、前記特定されたグローバル特効が目標インタフェース全体をカバーするまで、変位動画の形式で前記特定されたグローバル特効を反対側に移動させる。
【００３１】
グローバル特効が特定された後、特定されたグローバル特効が目標インタフェース全体をカバーするまで、変位動画の形式で特定されたグローバル特効を反対側に移動させる。例えば、目標インタフェースの左右両側に２種類のグローバル特効を同時に表示させる場合、スライドジェスチャーの解除動作が検出される時に、目標インターフェイスの左側に位置するグローバル特効の表示領域が大きい場合には、左側のグローバル特効に切り替え、切替中に左から右への変位動画が追加される。すなわち、左側のグローバル特効が目標インタフェース全体をカバーし、右側のグローバル特効が目標インタフェースから消えるまで、左側のグローバル特効と右側のグローバル特効とを同時に左から右に移動する。スライドジェスチャーの解除動作が検出される時に、目標インターフェイスの右側に位置するグローバル特効の表示領域がやや大きい場合、右側のグローバル特効に切り替え、切替中に右から左への変位動画が追加される。すなわち、右側のグローバル特効が目標インタフェース全体をカバーし、左側のグローバル特効が目標インタフェースから消えるまで、左側のグローバル特効と右側のグローバル特効とを同時に右から左に移動する。
【００３２】
本実施例に係るグローバル特効の切替方法は、ユーザに選択されるグローバル特効を特定した後、当該グローバル特効の目標インタフェース上の位置に応じて、目標インタフェース全体をカバーするまで、変位動画の形式で当該グローバル特効を反対側に移動させる。界面効果を豊富にし、ユーザ体験をさらに向上させる。
【００３３】
実施例３
図４は、本開示の実施例３に係るグローバル特効の切替装置の構造模式図である。本実施例は、動画または写真のグローバル特効を切り替えるようとする場合に適用することができる。該方法は、グローバル特効の切替方法を実行することができ、該装置は、ソフトウェアとハードウェアの少なくとも１つで実現されてもよく、一般的に携帯電話やタブレット等の端末装置に集積されてもよい。図４に示すように、本実施例に記載のグローバル特効の切替装置は、切り替え特効特定モジュール３１０と、同時表示モジュール３２０と、グローバル特効切替モジュール３３０とを備える。
【００３４】
ここで、切り替え特効特定モジュール３１０は、目標インタフェースにおいてスライドジェスチャーを検出すると、前記スライドジェスチャーのスライド方向に応じて、切り替えられる２種類のグローバル特効を特定するように構成される。
【００３５】
同時表示モジュール３２０は、前記スライドジェスチャーのスライド中に、前記目標インタフェースの両側に前記２種類のグローバル特効を同時に表示させ、前記スライドジェスチャーのスライド変位に応じて、前記２種類のグローバル特効の表示領域を変更させるように構成される。
【００３６】
グローバル特効切替モジュール３３０は、前記スライドジェスチャーの解除動作を検出すると、前記２種類のグローバル特効のうち、表示領域の大きい方のグローバル特効をユーザに選択されるグローバル特効と特定し、目標インタフェース全体に表示させるように構成される。
【００３７】
一実施形態において、前記スライド変位は、横変位成分を含み、前記同時表示モジュールは、前記スライドジェスチャーの前記横変位成分に応じて、前記２種類のグローバル特効の、前記目標インタフェースの左右両側での表示領域を変更させるように構成される表示領域変更ユニットを備える。
【００３８】
一実施形態において、前記グローバル特効切替モジュールは、特定されたグローバル特効の、表示領域の目標インタフェース上の位置に応じて、前記特定されたグローバル特効が目標インタフェース全体をカバーするまで、変位動画の形式で前記特定されたグローバル特効を反対側に移動させるように構成される変位動画切替ユニットを備える。
【００３９】
一実施形態において、前記目標インタフェースは、動画撮像インタフェース、動画編集インタフェース、写真撮影インタフェースまたは写真編集インタフェースを含む。
【００４０】
一実施形態において、前記グローバル特効は、フィルタリングと透明度の少なくとも１つを含む。
【００４１】
上述したグローバル特効の切替装置は、本開示のいずれかの実施例に係るグローバル特効の切替方法を実行することができ、実行方法に応じた機能モジュールと有益な効果を有する。本実施例において詳細に説明しない技術的詳細は、本開示のいずれかの実施例に係るグローバル特効の切替方法を参照することができる。
【００４２】
実施例４
図５は、本開示の実施例４に係る端末装置のハードウェアの構造模式図である。端末装置は複数な形態で実施することができ、本開示における端末装置は、携帯電話、スマートフォン、ノートパソコン、デジタル放送受信機、ＰＤＡ（Ｐｅｒｓｏｎａｌ  Ｄｉｇｉｔａｌ  Ａｓｓｉｓｔａｎｔ）、タブレット型コンピュータ（Ｐｏｒｔａｂｌｅ  Ａｎｄｒｏｉｄ  Ｄｅｖｉｃｅ、  ＰＡＤ）、携帯型メディアプレイヤー（Ｐｏｒｔａｂｌｅ  Ｍｕｌｔｉｍｅｄｉａ  Ｐｌａｙｅｒ、  ＰＭＰ）、ナビゲーション装置、車載端末装置、車載表示端末、車載電子ドアミラー等の携帯端末装置、及びデジタルＴＶ、デスクトップ型コンピュータ等の固定端末装置を含んでもよいが、これらに限定されない。
【００４３】
図５に示すように、端末装置４００は、無線通信ユニット４１０、Ａ／Ｖ（オーディオ／ビデオ）入力ユニット４２０、ユーザ入力ユニット４３０、検知ユニット４４０、出力ユニット４５０、メモリ４６０、インターフェースユニット４７０、プロセッサ４８０、電源ユニット４９０等を含んでもよい。図５に複数の構成要素を有する端末装置が示されているが、示された全ての構成要素を実施する必要はなく、より多いまたはより少ない構成要素を代替的に実施してもよいことが理解されるべきである。
【００４４】
ここで、無線通信ユニット４１０は、端末装置４００と、無線通信システムまたはネットワークとの間の無線通信をサポートする。Ａ／Ｖ入力ユニット４２０は、オーディオやビデオを受信するように構成される。ユーザ入力ユニット４３０は、ユーザが入力したコマンド生成キーに応じてデータを入力して端末装置の多様な動作を制御する。検知ユニット４４０は、端末装置４００の現在の状態、端末装置４００の位置、ユーザによる端末装置４００に対するタッチ入力の有無、端末装置４００の配向、端末装置４００の加減速移動や方向等を検出するとともに、端末装置４００の操作を制御するためのコマンドや信号を生成する。インターフェースユニット４７０は、少なくとも１つの外部装置の、端末装置４００との通信可能なインタフェースとして機能する。出力ユニット４５０は、視覚、オーディオ、触覚の少なくとも１つとして出力信号を提供するように構成される。メモリ４６０は、プロセッサ４８０に実行される処理、および制御動作のソフトウェアプログラム等を記憶してもよいし、出力したまたは出力しようとするデータを一時的に記憶してもよい。メモリ４６０は、少なくとも一種類の記憶媒体を含んでもよい。また、端末装置４００は、ネットワーク接続を介してメモリ４６０の記憶機能を実行するネットワーク記憶装置と協働してもよい。プロセッサ４８０は、通常、端末装置の全体的な動作を制御する。また、プロセッサ４８０は、マルチメディアデータを再生またはリープレイするためのマルチメディアモジュールを含んでもよい。プロセッサ４８０は、タッチスクリーンで行われる手書き入力または図形描画入力を文字またはイメージとして認識するように、パターン認識処理を行うことができる。電源ユニット４９０は、プロセッサ４８０による制御で、外部の電力または内部の電力を受電し、複数の素子および構成要素を動作させるために必要な適切な電力を供給する。
【００４５】
プロセッサ４８０は、メモリ４６０に記憶されたプログラムを実行することで、端末装置４００の複数の機能アプリケーションおよびデータ処理を実行し、例えば、本開示の実施例に係るグローバル特効の切替方法を実現する。該方法は、目標インタフェースにおいてスライドジェスチャーを検出すると、前記スライドジェスチャーのスライド方向に応じて、切り替えられる２種類のグローバル特効を特定することと、前記スライドジェスチャーのスライド中に、前記目標インタフェースの両側に前記２種類のグローバル特効を同時に表示させ、前記スライドジェスチャーのスライド変位に応じて、前記２種類のグローバル特効の表示領域を変更させることと、前記スライドジェスチャーの解除動作を検出すると、前記２種類のグローバル特効のうち、表示領域の大きい方のグローバル特効をユーザに選定されるグローバル特効と特定し、目標インタフェース全体に表示させることとを含む。
【００４６】
実施例５
本開示実施例５は、コンピュータ実行可能なコマンドを含む記憶媒体をさらに提供し、前記コンピュータ実行可能なコマンドは、コンピュータプロセッサによって実行される時に、グローバル特効の切替方法を実行するために用いられる。該方法は、目標インタフェースにおいてスライドジェスチャーを検出すると、前記スライドジェスチャーのスライド方向に応じて、切り替えられる２種類のグローバル特効を特定することと、前記スライドジェスチャーのスライド中に、前記目標インタフェースの両側に前記２種類のグローバル特効を同時に表示させ、前記スライドジェスチャーのスライド変位に応じて、前記２種類のグローバル特効の表示領域を変更させることと、前記スライドジェスチャーの解除動作を検出すると、前記２種類のグローバル特効のうち、表示領域の大きい方のグローバル特効をユーザに選定されるグローバル特効と特定し、目標インターフェイス全体に表示させることとを含む。
【００４７】
もちろん、本開示の実施例に係るコンピュータ実行可能なコマンドを含む記憶媒体では、そのコンピュータ実行可能なコマンドは、上記のような方法で操作されることに限らず、本開示のいずれかの実施例に係るグローバル特効の切替方法における関連操作を実行することも可能である。
【００４８】
以上の実施形態についての説明に応じ、当業者であれば明らかなように、本開示は、ソフトウェア及び必要な汎用ハードウェアに応じて実現されてもよいし、ハードウェアに応じて実現されてもよいが、多くの場合において、前者がより好ましい実施形態であることが明らかである。このような理解に応じて、本開示の技術的な考案は本質的にまたは関連技術に寄与する部分がソフトウェア製品として具現化され、該コンピュータソフトウェア製品は、コンピュータ可読記憶媒体に記憶されており、例えば、コンピュータのフレキシブルディスク、読取り専用メモリ（Ｒｅａｄ  −  Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、  ＲＡＭ）、フラッシュメモリ（ＦＬＡＳＨ（登録商標））、ハードディスクまたは光ディスク等であり、該コンピュータソフトウェア製品は、複数のコマンドを含んで、一台のコンピュータデバイス（パーソナルコンピュータ、サーバ、ネットワークデバイス等であってもよい）を本開示の複数の実施例に記載の方法を実行させる。
【００４９】
なお、上述したグローバル特効の切替装置の実施例において、複数のユニット及びモジュールは機能ロジックに従って区分されるが、これに限定されなく、対応する機能を実現することができればよい。また、複数の機能ユニットの具体的な名称は、互いに区別しやすいようにするためのものに過ぎず、本開示の範囲を限定するものではない。
【図１】
2021512436.tif 000003
【図２ａ】
2021512436.tif 000004
【図２ｂ】
2021512436.tif 000005
【図２ｃ】
2021512436.tif 000006
【図２ｄ】
2021512436.tif 000007
【図２ｅ】
2021512436.tif 000008
【図２ｆ】
2021512436.tif 000009
【図２ｇ】
2021512436.tif 000010
【図２ｈ】
2021512436.tif 000011
【図２ｉ】
2021512436.tif 000012
【図２ｊ】
2021512436.tif 000013
【図２ｋ】
2021512436.tif 000014
【図２ｌ】
2021512436.tif 000015
【図３】
2021512436.tif 000016
【図４】
2021512436.tif 000017
【図５】
2021512436.tif 000018
【国際調査報告】
2021512436.tif 000019
2021512436.tif 000020
2021512436.tif 000021
2021512436.tif 000022
2021512436.tif 000023